Podtech/llm-jp-corpus-v4-ja_patent huggingface dataset:
(57)【要約】【課題】保水容器を定位置に固定でき、輸送時における切花の傷みを防止できる梱包箱を提供する。【解決手段】各一対の側板１及び端板２から成る角柱状の周壁を有し、切花の茎を挿す保水容器２０を底部に収納する切花の梱包箱において、周壁の稜線を横切る切込を入れて帯状の押込片１３を形成し、その下縁に凸部１４を設け、押込片１３を内側へ押し込むと、押込片１３が保水容器２０のフランジ２１に係合し、押込片１３の凸部１４により保水容器２０のフランジ２１周縁部に盛り上がるリブ２２が抱持されるようにする。【選択図】  図３
2005015011.tif 000002
【特許請求の範囲】
【請求項１】
角柱状の周壁を有し、切花の茎を挿す保水容器を底部に収納する切花の梱包箱において、周壁の稜線を横切る切込を入れて帯状の押込片を形成し、その下縁に凸部を設け、押込片を内側へ押し込むと、押込片が保水容器のフランジに係合し、押込片の凸部が保水容器のフランジ周縁部に盛り上がるリブを抱持するようにしたことを特徴とする切花の梱包箱。
【発明の詳細な説明】
【０００１】
【発明の属する技術分野】
この発明は、切花を保水容器に挿して収納し、鮮度を保ちつつ輸送する梱包箱に関するものである。
【０００２】
【従来の技術】
従来より、切花の輸送時における梱包形態として、鮮度を保つため、切花の茎を鉢形の保水容器に挿し、この保水容器を角柱状の周壁を有する梱包箱の底部に収納して梱包するものが採用されている。
【０００３】
【発明が解決しようとする課題】
しかしながら、上記のような梱包形態では、梱包箱の内部で保水容器ががたつき、花卉市場での荷扱い時などに梱包箱が横倒しにされると、保水容器が移動して、切花の花部が潰れることがあった。
【０００４】
そこで、この発明は、保水容器を定位置に固定でき、輸送時における切花の傷みを防止できる梱包箱を提供することを課題とする。
【０００５】
【課題を解決するための手段】
上記課題を解決するため、この発明では、角柱状の周壁を有し、切花の茎を挿す保水容器を底部に収納する切花の梱包箱において、周壁の稜線を横切る切込を入れて帯状の押込片を形成し、その下縁に凸部を設け、押込片を内側へ押し込むと、押込片が保水容器のフランジに係合し、押込片の凸部が保水容器のフランジ周縁部に盛り上がるリブを抱持するようにしたのである。
【０００６】
【発明の実施の形態】
以下、この発明の実施の形態を添付図面に基づいて説明する。
【０００７】
この梱包箱は、図１に示すような一枚の段ボール製ブランクから構成される。このブランクでは、各一対の長面及び短面をなす側板１及び端板２が交互に連設され、その一端の側板１の外側縁に継代片３が連設されている。
【０００８】
各側板１及び端板２の上縁には側フラップ４，５及び端フラップ６，７がそれぞれ連設され、各側板１及び端板２の下縁には側フラップ８，９及び端フラップ１０，１１がそれぞれ連設されている。側フラップ４の基端部には、側板１との境界からコ字状の切込を入れて、受止片１２が形成されている。
【０００９】
側フラップ５，９と側板１の稜部には、境界の罫線を横切る切込を入れて帯状の押込片１３が形成され、側フラップ９と側板１に亘る押込片１３には、端板２側へ向けて凸部１４が設けられている。そのほか、ブランクの各所には、切花を束ねるための紐を挿通する紐穴や、運搬用の把手穴が設けられている。
【００１０】
このようなブランクは、一般的な溝切り形の箱と同様の形状となっていることから、フレキソグルアを用いて容易かつ安価に製造でき、また、側フラップ４，５及び側フラップ８，９の長さがそれぞれ揃っているので、ブランクを折り重ねて、継代片３を反対側の端板２に貼着する際、貼りずれが生じにくい。
【００１１】
いま、この梱包箱を使用して切花を梱包する際には、図２に示すように、側板１及び端板２同士を対向させ、端フラップ１０，１１を内側へ折り曲げ、側フラップ８，９を突き合わせるように閉じて、粘着テープ等で固定し、側フラップ４を側板１の内面側に重ねるように折り込み、梱包箱を起立させる。
【００１２】
そして、図３に示すように、梱包箱の底部に、水を入れて切花の茎を挿した保水容器２０を収納し、押込片１３を押し込むと、押込片１３が保水容器２０のフランジ２１に上方から抑えるように係合し、押込片１３の凸部１４がフランジ２１の周縁部に盛り上がったリブ２２を内側から抱持する。
【００１３】
その後、端フラップ６，７を内側へ折り曲げ、図４に示すように、受止片１２を内側へ折り曲げ、側フラップ５を受止片１２に重ねるように閉じて、粘着テープ等により封緘し、四角柱状の周壁を形成する。
【００１４】
このように封緘した梱包箱では、輸送中における保水容器２０のがたつきが押込片１３により防止され、花卉市場等で横倒しにされても、保水容器２０が定位置に保持されるので、切花の花部が端板２に衝突して潰れたりすることがなく、切花の傷みが防止される。なお、凸部１４を有する押込片１３があれば、他の押込片１３を省略しても、ほぼ同様の効果を得ることができる。
【００１５】
また、この梱包箱は、一方の側板１に側フラップ４が重なり合って二重構造となるため、強度が向上し、材料に低グレードのものを使用して、コストを抑制することができる。
【００１６】
ところで、上記実施形態では、周壁が四角柱状のものを示したが、押込片１３により保水容器２０を保持する構成は、周壁が三角柱状など、他の多角柱状の形態のものにも適用することができる。
【００１７】
【発明の効果】
以上のように、この発明に係る梱包箱では、周壁の稜部を切り込んで形成した押込片が保水容器のフランジに係合し、押込片の凸部が保水容器のフランジのリブを抱持して、保水容器が定位置に保持されるようにしたので、切花の花部の箱内面への衝突等が防止され、切花が確実に保護される。
【図面の簡単な説明】
【図１】この発明の実施形態に係る梱包箱のブランクを示す図
【図２】同上の組立過程を示す斜視図
【図３】同上の保水容器のセット状態を示す斜視図
【図４】同上の封緘状態を示す斜視図
【符号の説明】
１  側板
２  端板
３  継代片
４，５  側フラップ
６，７  端フラップ
８，９  側フラップ
１０，１１  端フラップ
１２  受止片
１３  押込片
１４  凸部
２０  保水容器
２１  フランジ
２２  リブ
【図１】
2005015011.tif 000003
【図２】
2005015011.tif 000004
【図３】
2005015011.tif 000005
【図４】
2005015011.tif 000006
(57)【要約】      （修正有）【課題】抜気後、器具と隔筒を取り外す時にチューブをおさえるタイミングが最大の課題であり、これを解決して食品の冷凍保存を可能にした袋の提供。【解決手段】軟質のビニールパイプに接着剤の充分についた隔筒を挿入してパイプ内面に接着剤を付着させておくこと。【選択図】図２
2005015038.tif 000002
【特許請求の範囲】
【請求項１】
食品在中の袋の中を真空に近くして、脱酸素の効果と共に冷凍保存の期間をのばす方法。
【発明の詳細な説明】
【０００１】
【発明の属する技術分野】
この発明は市販されているいろいろな保存用の袋を加工して利用します。
袋に二重のチャツク機構を備え、袋の中の空気を抜くための５ｍｍ前後の細いチューブを取り付ける。
【０００２】
【従来の技術】
従来は、袋にチャツクをつけた汎用の袋はある。
【０００３】
【発明が解決しようとする課題】
これは、袋のなかの空気を抜き終わってチューブを締めるときに空気が戻らないようにすることが最大の課題であった。
【０００４】
【課題を解決するための手段】
チューブの内側に接着剤のついた隔筒を差し込んでおき、抜気用器具を隔筒とともに取り外すさいにチューブを指で圧迫する。
【０００５】
【本発明の実施の形態】
空気を抜き取る為に５００ｃｃ程度の吸気力のある例えば注射器のような器具を用いて抜気する。
【０００６】
【発明の効果】
脱酸素と真空に近い状態で冷凍保存が可能になるので長期保存ができる。
【図面の簡単な説明】
【図  １】本発明の本体見取鳥瞰図である。
【図  ２】本発明の隔筒付きチューブの拡大図。
【図  ３】本発明の軟性接着剤付き隔筒の見取図。
【図１】
2005015038.tif 000003
【図２】
2005015038.tif 000004
【図３】
2005015038.tif 000005
(57)【要約】【課題】袋の開封口を閉じる際、滑りづらいので扱い易く、簡単で且つ見た目もきれいに閉じ、又袋の大きさや厚さを問わず使用できる、袋の開封口閉じ具を提供する。【解決手段】２本の並列した棒状の本体（１）の両端に結合部（２）を設け、中央部を輪状にし（３）、棒状の本体（１）は、針金等形状を保つための芯（１−ａ）を、滑りづらくする為のシリコン・ゴム等の被覆材（１−ｂ）で覆っていることを特徴とする。【選択図】  図１
2005015037.tif 000002
【特許請求の範囲】
【請求項１】
２本の並列した棒状の本体（１）の両端に結合部（２）を設け中央部を輪状にし（３）、棒状の本体（１）は、針金等形状を保つための芯（１−ａ）を、滑りづらくする為のシリコン・ゴム等の被覆材（１−ｂ）で覆った、袋の開封口閉じ具。
【発明の詳細な説明】
【０００１】
【発明の属する技術分野】
本発明は、袋の開封口を閉じる際に、滑りづらいので扱い易く、簡単で見た目もきれいに閉じる事が出来、又袋の開封口の大きさや厚さを問わず使用できる、袋の開封口閉じ具に関するものである。
【０００２】
【従来の技術】
従来、袋の開封口閉じ具てとして実開昭５６−５９５４２号、または実開昭６３−１６１１４８号のようなものが開示されている。しかし、これらは袋の開封口を閉じる機能は備えているが、袋を閉じる際に滑ったりずれたりする事や開封口をきれいに処理することを考慮しておらず、又袋開封口の大きさや厚さによっては使用が困難であるという問題点があった。
【０００３】
【発明が解決しようとする課題】
本発明は、このような問題を解決する為になされたものであり、袋の開封口を閉じる際、滑りづらいので扱い易く、簡単で且つ見た目もきれいに閉じ、又袋の大きさや厚さを問わず使用できる、袋の開封口閉じ具を提供することを課題とする。
【０００４】
【課題を解決するための手段】
２本の並列した棒状の本体（１）の両端に結合部（２）を設け、中央部を輪状にし（３）、棒状の本体（１）は、針金等形状を保つための芯（１−ａ）を、滑りづらくする為のシリコン・ゴム等の被覆材（１−ｂ）で覆った、袋の開封口閉じ具である。
【０００５】
【発明の実施の形態】
図１は本発明の平面図で、図２は本体（１）の断面図である。２本の並列した棒状の本体（１）の両端に結合部（２）を設け、中央部を輪状（３）にする。棒状の本体（１）は、針金等形状を保つための芯（１−ａ）を、滑りずらいくする為のシリコン・ゴム等の被覆材（１−ｂ）で覆っている。結合部（２）に飾り物を付け、様々なデザインをなすのもよい。
【０００６】
図３は本発明の使用方法を示した平面図である。本発明品の輪の部分（３）に袋の開封口（Ａ）をくぐらせ、２本の並列した棒状の本体（１）で挟みながら、開封口（Ａ）を適当なところまでくるくると丸める。そして、両端の結合部（２）を内側に曲げ、これによって、袋の開封口（Ａ）はきれいに閉じる事が出来る。開封口を丸める際、本体（１）の芯（１−ａ）をシリコン・ゴム等の被覆材（１−ｂ）で覆っている為、滑りづらく扱い易い。そして形状を保つための芯（１−ａ）によって、閉じ口は固定される。
【０００７】
【発明の効果】
本発明は、２本の並列した棒状の本体（１）の両端に結合部（２）を設け、中央部の輪状（３）にした部分で開封口を挟み丸め、両端を内側に曲げる事で、簡単できれいに開封口を閉じる事が出来、また棒状の本体（１）に、針金等形状を保つための芯（１−ａ）がある事によって閉じ口が固定され、そして芯（１−ａ）を滑りづらくする為のシリコン・ゴム等の被覆材（１−ｂ）で覆っている事によって開封口を丸める際も滑りづらいので、扱い易いという利点がある。
【図面の簡単な説明】
【図１】本発明を示した平面図である。
【図２】本発明本体の断面図である。
【図３】本発明の使用方法を示した平面図である。
【符号の説明】
１      ２本の並列した棒状の本体
１−ａ  針金等形状を保つための芯
１−ｂ  シリコン・ゴム等の被覆材
２      両端の結合部
３      中央部の輪状部
Ａ      袋の開封口
【図１】
2005015037.tif 000003
【図３】
2005015037.tif 000004
(57)【要約】      （修正有）【課題】止金具・テープを一切使わず組込作業もなく、安全でスピーディに製造可能な上部開放カートンである段ボールカートンを提供する。【解決手段】上部開放カートンである段ボールカートンを折り曲げ糊付により製造できる構成とした。【選択図】図１
2005015040.tif 000002
【特許請求の範囲】
【請求項１】
段ボールカートン使用の際止金具・テープを一切使わず組込作業もなく野菜用ねぎその他上部開カートンが可能
【発明の詳細な説明】
野菜ねぎ等用の段ボールカートンは上部開放カートンで、鮮度視点を保っているカートン作成には上部金具が必須でしたが、上部開放ワンタッチにより金具テープも組込もなく安全でスピーディ環境に最良な製造である
【０００１】
【発明の属する技術分野】段ボール製造行程上部開閉分野
【０００２】
【従来の技術】止金又はテープ及組込式
【０００３】
【発明が解決しようとする問題】作業合理化危険防止リサイクル向上
【０００４】
【課題を解決するための手段】カートン上部開放タッチカートンは曲線直線の糊付により上部開放タッチカートンが出来る
【０００５】
【発明の実施の形態】危険安全簡易の面で早急な実施を農業団体環境行政に各所に推進中
【０００６】
【実施例】茨城指定産地で市場中心に取扱い評価中央市場の認定にとりつける
【０００７】
【発明の効果】▲１▼  止金具テープ金具機器等の費用解消
▲２▼  作業労力の軽減
▲３▼  危険解消エコリサイクル
【図面の簡単な説明】
【図１】天面図
【図２】展開図
【符号の説明】
１Ｊ１〜Ｊ２  ジョイント
２Ｋ１〜Ｋ４  曲線直線開放位置
３Ｔ１〜Ｔ２  タッチ式組立
【図１】
2005015040.tif 000003
【図２】
2005015040.tif 000004
【手続補正書】
【提出日】平成15年9月22日(2003.9.22)
【手続補正１】
【補正対象書類名】図面
【補正対象項目名】全図
【補正方法】変更
【補正の内容】
【図１】
2005015040.tif 000005
【図２】
2005015040.tif 000006
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
段ボールカートン使用の際止金具・テープを一切使わず組込作業もなく野菜
用ねぎその他上部開カートンが可能
【請求項２】
上部・下部の機能及び形状の応用
【手続補正２】
【補正対象書類名】図面
【補正対象項目名】全図
【補正方法】変更
【補正の内容】
【図１】
2005015040.tif 000007
【図２】
2005015040.tif 000008
【図３】
2005015040.tif 000009
【手続補正３】
【補正対象書類名】明細書
【補正対象項目名】図面の簡単な説明
【補正方法】変更
【補正の内容】
【図面の簡単な説明】
【図１】天面図組立仕上り図
【図２】展開図ワンタッチ形状図面
【図３】上部・底部併用図面
【符号の説明】
１  Ｊ１〜Ｊ２  ジョイント
２  Ｋ１〜Ｋ４  曲線直線開放位置
３  Ｔ１〜Ｔ２  タッチ式組立
(57)【要約】【課題】        従来の比較的高価で、嵩ばる、布製の台付ふくさの欠点を解決する紙製の台付ふくさ。材質を紙製とし、安価で使い切り可能、且つ、家紋シール等の貼付や台芯裏面等に印刷可能な製品を提供する。【解決手段】  従来の台付ふくさは布製で高価なものが大半であり、表面に印刷することやシール等を貼付することは紙と比較して困難であった。このために家紋入りの台付ふくさ等は一般的でなくなり、製品の画一化を招き、日本古来のよき習慣が失われる一因となっている。また、従来の製品は比較的嵩ばり、使用後の収納にも問題があった。本発明は材質を紙製とすることにより、安価な製品が供給でき、しかも、家紋等のシールを貼付したり、差出時に差出先に見えない部分に冠婚葬祭マナーや礼式用語等を印刷したりすることが可能となる。また、台芯も紙製のため、折りたたみ可能で、ポケット等に収納しやすく、使いきり製品として販売、使用が可能となる。【選択図】        図１
2005015064.tif 000002
【特許請求の範囲】
【請求項１】
材質が紙製の台付ふくさ。
【請求項２】
台芯の材質が紙製の台付ふくさ。
【請求項３】
台付ふくさの表面に家紋のシール等が貼付可能な材質・構造の台付ふくさ。
【請求項４】
台芯裏面に冠婚葬祭マナーや礼式用語等を印刷可能な材質・構造の台付ふくさ。
【発明の詳細な説明】
【技術分野】
【０００１】
本発明は、紙製の台付ふくさに関するものである。
【背景技術】
【０００２】
従来の台付ふくさの材質は、ほとんどが布製で高価なものが大半であった。しかも家紋等を入れるとなればオーダーメイド製品となり広く使用されるには高価であり、仕上り日数もかかるのが通常であった。また、製品に印刷等の処理を施すことは紙と比較して困難且つ高価であった。本発明はこれらの問題を解決し、安価で、使い切り可能な台付ふくさを提供しようとするものである。
【特許文献１】特許公開平８−３３６２２６
【発明の開示】
【発明が解決しようとする課題】
【０００３】
従来の台付ふくさは布製で高価なものが大半であり、表面に家紋を刺繍又は印刷するには納期もかかりコストも高かった。このために家紋入りの台付ふくさ等は一般的でなくなり、製品の画一化を招き、日本古来のよき習慣が失われる一因となっている。また、従来の製品は比較的嵩ばり、使用後の収納に問題があった。
【課題を解決するための手段】
【０００４】
台付ふくさの材質を紙製とする。台芯の構造も紙製とし、台芯の裏面に冠婚葬祭マナーや礼式用語等を印刷可能な構造とする。
【発明の効果】
【０００５】
従来の台付ふくさは布製で高価なものが大半であり、表面に印刷することやシール等を貼付することは紙と比較して困難且つコストが高くついた。本発明は材質を紙製とすることにより、安価な製品が供給でき、しかも、家紋等を低コストで印刷したり、シールを貼付することもできる。また、差出時に差出先に見えない部分に冠婚葬祭マナーや礼式用語等を印刷したりすることが可能となる。このことにより、日本古来の習慣を守り、受け継ぐ効果が期待される。現在の若年層は家の家紋を知らないことが多く、又それを知りえる機会も少なくなっている。本発明を適用した製品を使用することにより数少ない機会に家の家紋を知り伝える契機となる効果が期待できる。また、使用後も紙製のため、折りたたみ可能で、ポケット等に収納しやすく、使い切り製品としてコンビニエンスストア等での販売も可能である。
【実施例】
【０００６】
実施例を図１、図２を用いて説明する。
図１は当発明を適用した台付ふくさを広げた状態の図である。図２は本発明を適用した台付ふくさの金封袋を包んだ姿図である。
【０００７】
台付ふくさ１の台芯糊付け部３に台芯２を貼り付け破線で示した部分で折り曲げ使用する。台付ふくさ１の表面に家紋シール４を貼り付ける。台芯２は裏面に冠婚葬祭マナーや礼式用語等を印刷したものを使用する。
【図面の簡単な説明】
【０００８】
【図１】当発明を適用した台付ふくさを広げた状態の図である。
【図２】当発明を適用した台付ふくさの、金封袋を包んだ状態の姿図である。
【符号の説明】
【０００９】
１  台付ふくさ本体
２  台芯
３  台芯糊付け部
４  家紋シール
【図１】
2005015064.tif 000003
【図２】
2005015064.tif 000004
(57)【要約】【課題】ポリ袋等のごみ袋を簡単に装着でき、なおかつ衛生的な、流し台用ごみ袋ホルダーを提供する。【解決手段】一部を切り欠いた開口部（８）を有する固定枠（３）に任意の壁面に着脱可能な、着脱部材（６）を設け、固定枠（３）に軸（５）を介して開閉可能な押さえ枠（２）を設け、押さえ枠（２）と固定枠（３）で任意のごみ袋を固定させるためのストッパー（４）を設け、押さえ枠（２）の上面を覆う、軸（５）を介して開閉可能な上ブタ（１）を設けたことを特徴とする。【選択図】    図  １
2005015042.tif 000002
【特許請求の範囲】
【請求項１】
一部を切り欠いた開口部（８）を有する固定枠（３）に任意の壁面に着脱可能な着脱部材（６）を設け、固定枠（３）に軸（５）を介して開閉可能な押さえ枠（２）を設け、押さえ枠（２）と固定枠（３）で任意のごみ袋を固定させるためのストッパー（４）を設けた流し台用ごみ袋ホルダー。
【請求項２】
押さえ枠（２）の上面を覆う、軸（５）を介して開閉可能な上ブタ（１）を設けたことを特徴とする請求項１記載の流し台用ごみ袋ホルダー。
【発明の詳細な説明】
【０００１】
【発明の属する技術分野】
この発明は、流し台用のごみ入れに関するものである。
【０００２】
【従来の技術】
従来、台所の流し台の中に設置して使われている、ごみ容器は、網目状のかご容器が一般的であり、通常流し台の一角に置かれている。
【０００３】
【発明が解決しようとする課題】
これは次のような欠点があった。
（イ）  生ごみ等を直接入れるか、その内側にメッシュ状の袋を入れて使用していた。そのため、汁が出たり臭い生ごみ等は別途のポリ袋等に入れ替えて、大きなごみ袋等に入れる必要があった。
（ロ）  生ごみをそのままにしておくと、臭かったり、ハエ等の虫が入ったりして、不衛生であった。
【０００４】
【課題を解決するための手段】
一部を切り欠いた開口部（８）を有する固定枠（３）に任意の壁面に着脱可能な着脱部材（６）を設け、固定枠（３）に軸（５）を介して開閉可能な押さえ枠（２）を設け、押さえ枠（２）と固定枠（３）で任意のごみ袋を固定させるためのストッパー（４）を設け、押さえ枠（２）の上面を覆う、軸（５）を介して開閉可能な上ブタ（１）を設ける。
本発明は、以上のような構成よりなる流し台用ごみ袋ホルダーである。
【０００５】
【発明の実施の形態】
以下、本発明の実施の形態について説明する。
（イ）  固定枠（３）に一部を切り欠いた開口部（８）を設ける。
（ロ）  固定枠（３）に任意の壁面に着脱可能な着脱部材（６）を設ける。
（ハ）  固定枠（３）の上部に軸（５）を介して開閉可能な、その上面を覆う上ブタを設ける。
（ニ）  押さえ枠（２）の一部にストッパー（４）を設ける。
（ホ）  押さえ枠（２）の上部に軸（５）を介して開閉可能な、その上面を覆う上ブタ（１）を設ける。
本発明は以上のような構造で、これを使用するときは、流し台の内側のコーナーに着脱部材（６）を介して固定する。次に上ブタ（１）と押さえ枠（２）を上げ固定枠（３）の開口部（８）よりポリ袋等を内側に入れ、固定枠（３）全体に外側へその袋の上端を折り曲げてかぶせる。次に押さえ枠（２）を下げて固定枠（３）にストッパー（４）を介して固定する。その事により固定枠（３）と押さえ枠（２）の間にポリ袋等がはさまれ固定される。生ごみ等は、その押さえ枠（２）のごみ入れ口（１０）から入れる。ポリ袋等を着脱するときは、上ブタ（１）と押さえ枠（２）を上げ、固定枠（３）の開口部（８）より前方へ引き出すことにより簡単に着脱できる。なお着脱部材（６）は図７で示すように、支持ボルト（７）で装着されていて、回転するので、ほとんどの流し台のコーナーに対応できる。
【０００６】
【発明の効果】
本発明を使用することにより、開口部が設けてあり、ポリ袋等を簡単に着脱でき袋の上部が開いた状態であり、ごみ等を入れやすく、上ブタを閉めた状態だと匂いもせず、ハエ等の虫や水等も入らないので、極めて使いやすく衛生的である。
【図面の簡単な説明】
【図１】本発明の斜視図である。
【図２】本発明の断面図である。
【図３】本発明の分解斜視図である。
【図４】本発明の分解斜視図である。
【図５】本発明の使用状態を示す平面図である。
【図６】本発明の使用状態を示す斜視図である。
【図７】本発明の正面図である。
【符号の説明】
１  上ブタ
２  押さえ枠
３  固定枠
４  ストッパー
５  軸
６  着脱部材
７  支持ボルト
８  開口部
９  ポリ袋
１０  ごみ入れ口
１１  流し台
【図１】
2005015042.tif 000003
【図２】
2005015042.tif 000004
【図３】
2005015042.tif 000005
【図４】
2005015042.tif 000006
【図５】
2005015042.tif 000007
【図６】
2005015042.tif 000008
【図７】
2005015042.tif 000009
(57)【要約】【目的】ホッパ（１）に貯留され、繊維が混入し、粘着力を持ち、大きな固まりになり、ホッパ壁（１７）に付いて、ブリッッジ状態になる内容物をホッパ壁（１７）との間の粘着を切断して重力によってセンターレススクリュー（７）まで到達させ、刃列（１６）で固まった内容物を砕き、砕かれた内容物をセンターレススクリュー（７）で次の工程に定量供給することを目的とする。【構成】ホッパ壁（１７）に、一端にスプロケット（１８）等を固着した偏芯軸（１２）を貫通させ、パッキン（６）でシールし、軸受け（５）で揺動自在に軸支した掻き落とし装置（３）を取り付け、その下方に羽根の先に刃列（１６）を付けたセンターレススクリュー（７）を端軸（１４）と一端にスプロケット（１８）等を固着した端軸（１５）をパッキン（９）でシールし、軸受け（８）で回転自在に軸支し、チェーン（１９）等によりモーター等に連結する。【選択図】        図１
2005015041.tif 000002
【特許請求の範囲】
【請求項１】
ホッパ壁（１７）に一端にスプロケット（１８）を固着した偏芯軸（１２）を貫通させ、パッキン（６）でシールし、軸受け（５）で揺動自在に軸支した掻き落とし装置（３）を取り付けたホッパー付定量供給機。
【請求項２】
上端が鋭角で下端が平面になった横桟（１１）を持った掻き落とし装置（３）。
【請求項３】
駆動軸（１５）と端軸（１４）をパッキン（９）でシールし、軸受け（８）で回転自在に軸支したセンターレススクリュー（７）を取り付けたホッパー付定量供給機。
【請求項４】
羽根の先に刃列（１６）を付けたセンターレススクリュー。
【発明の詳細な説明】
【０００１】
【発明の属する技術分野】
本発明は、ホッパー付定量供給機に関する。
【０００２】
【従来の技術】
従来のこの種のホッパー付定量供給機においては、定量供給装置としてスクリューコンベア（２０）方式や偏芯軸を利用したスイングコンベア方式のモノがあった。
【０００３】
【発明が解決しようとする課題】
従来のこの種のホッパー付定量供給機においては通常のスクリューコンベア方式では繊維状のモノがスクリュー軸に巻き付きその場で成長して定量供給の障碍になった。偏芯軸を利用したスイングコンベア方式ではブリッジが発生した時の解消力は無く、内容物が大きな固まりになった時は定量供給ができなかった。
【０００４】
【課題を解決するための手段】
上記目的を達成するために、本発明においてはホッパ壁（１７）に一端にスプロケット（１８）等を固着した偏芯軸（１２）を貫通させ、パッキン（６）でシールし、軸受け（５）で揺動自在に軸支し、モーター等により運転できるようにした掻き落とし装置（３）を取り付け、その下方に羽根の先に刃列（１６）を付けたセンターレススクリュー（７）を端軸（１４）と一端にスプロケット（１８）等を固着した端軸（１５）をパッキン（９）でシールし、軸受け（８）で回転自在に軸支し、チェーン（１９）等によりモーター等により運転できるようにしているので、繊維状のモノを含んだ内容物を定量供給するのに効果的である。
【０００５】
【作用】
図２において上部が鋭角で下部が平面で有る横桟（１１）は偏芯軸（１２）が揺動すると半径ｅで回転移動し、即ち上下に２ｅ移動し、揺動である為繊維状のモノが偏芯軸（１２）に巻き付くこと無く、上方に移動する時は上部の鋭角で内容物（２０）の中に切り込んでホッパーの壁（１７）と内容物（２０）の粘着を切断し、下方に移動する時は下部の平面で内容物を下方に送る。センターレススクリュー（７）に達した内容物（２０）は刃列（１６）により砕かれ、小さくなった内容物（２０）はセンターレススクリュー（７）の中に落ち込むが軸が無いので繊維状のモノが巻き付くことなく、出口方向に定速で送られる、即ち定量供給される。
【０００６】
【発明の実施の形態】
実施例について図面を参照して説明すると、図１においてホッパ壁（１７）に、一端にスプロケット（１８）等を固着した偏芯軸（１２）を貫通させ、パッキン（６）でシールし、軸受け（５）で揺動自在に軸支し、モーター等により運転できるようにした掻き落とし装置（３）を取り付け、その下方に羽根の先に刃列（１６）を付けた端軸（１４）と一端にスプロケット（１８）等を固着した端軸（１５）をパッキン（９）でシールし、軸受け（８）で回転自在に軸支したセンターレススクリュー（７）を、チェーン（１９）等によりモーター等に連結して運転できるようにした。
【０００７】
【発明の効果】
本発明は以上説明したように構成されているので以下に記載されるような効果を奏する。
【０００８】
図２において上部が鋭角で下部が平面で有る横桟（１１）は偏芯軸（１２）が揺動すると半径ｅで回転移動し、即ち上下に２ｅ移動し、揺動である為繊維状のモノが偏芯軸（１２）に巻き付くこと無く、上方に移動する時は上部の鋭角で内容物（２０）の中に切り込んでホッパーの壁（１７）と内容物（２０）の粘着を切断し、下方に移動する時は下部の平面で内容物を下方に送る。
【０００９】
刃列（１６）は固まった内容物（２０）を小さく砕く。
【００１１】
センターレススクリュー（７）は軸が無いので繊維状のモノが巻き付くことなく、出口方向に定速で送られる、即ち定量供給される。
【図面の簡単な説明】
【図１】ホッパ付定量供給機の横断面図である。
【図２】Ｂ部の詳細図である。
【図３】ホッパ付定量供給機のＡ−Ａ断面図である。
【図４】スイングコンベアの説明図である。
【符号の説明】
１    ホッパー
２    枠
３    掻き落とし装置
４    欠
５    軸受け
６    パッキン
７    センターレススクリュー
８    軸受け
９    パッキン
１０  出口
１１  横桟
１２  偏芯軸
１３  軸受け部
１４  端軸
１５  駆動軸
１６  刃列
１７  ホッパー壁
１８  スプロケット
１９  チェーン
２０  軸受け
【図１】
2005015041.tif 000003
【図２】
2005015041.tif 000004
【図３】
2005015041.tif 000005
【図４】
2005015041.tif 000006
(57)【要約】【課題】従来の飲料缶は自動販売機、店内陳列、保管時など飲み口を含め缶全体がむき出しのままなので、直接口を付けて飲むことは不衛生であるという問題がある。【解決手段】飲料缶を除菌して真空抗菌ビニールフィルムパックで缶全体をカバーし、また、開封も安易にできるように構成した。これにより飲料缶に菌やウイルス、その他雑菌また汚れが付着することを防止することが可能になる。その為利用者により清潔、衛生的な飲料缶を提供できるとともに保管面でも安心することができる【選択図】図１
2005015045.tif 000002
【特許請求の範囲】
【請求項１】
現在の形状のままの飲料缶に殺菌処理をほどこし、同じく殺菌処理したビニールフィルムパックで飲料缶全体を包んで真空密着させて、飲み口を完壁な無菌状態にして菌やウィルス、または汚れなどからも飲料缶全体を保護する為飲み口が常に衛生的である。従って自動販売機、店内陳列及び保管面でも安心できる真空抗菌ビニールフィルムパック。
【請求項２】
請求１に係る飲料缶を全面的に真空抗菌ビニールフィルムパックで包みこむことで、缶全体及び飲み口を雑菌から保護して衛生的に飲める様にした。
また、缶を包んでいるビニールフィルムパックの開封も簡単にできる様に、つまみ部分をつけて開けやすいようにした。さらに開封の際上層部が簡単に取り切れる真空抗菌ビニールフィルムパック
【請求項３】
現在の飲料缶を抗菌缶にして全面に透明な抗菌ビニールフィルムパックで真空圧縮して飲料缶全体を包みこみ缶の商品名が現状のままわかる様にして、飲み口を衛生的にする。
または、現在の形状はそのままの抗菌飲料缶に真空した抗菌ビニールフィルムパックで缶全体を包みこみ、社名や商品名などの印刷ができ管理もできるビニールフィルムパック。
【発明の詳細な説明】
【０００１】
【発明の属する技術分野】
本発明は飲料缶の衛生とそれを包むビニールフィルムパックの衛生保護に関する。
【０００２】
【従来の技術】
従来の飲料缶は飲み口を保護またはカバーしておらず不衛生で、又、管理面でも同様である。
【０００３】
【特許文献１】
【非特許文献１】
【０００４】
【発明が解決しようとする課題】
以上の述べた従来の飲料缶では自動販売機、店内陳列及び保管場所などで飲み口部分がむき出しで常に汚れや雑菌にさらされていると思われ、飲食するには直接口にする飲み口部分が大変不衛生である。
【０００５】
本発明はこのような従来の構成が有していた問題を解決しようとするものであり、衛生的に飲食できる飲料缶を実現することを目的とするものである。
【０００６】
【課題を解決するための手段】
本発明は、前記目的を達成するために従来の飲料缶を除菌抗菌及び殺菌して、真空抗菌ビニールフィルムパックで包むことにより衛生的に飲食、保管できる様に課題を解決するものである。
更に、利用者がフィルムの開封も簡単にできる様に切り込み口につまみ部分を設けたものである。
【０００７】
【発明の実施の形態】
以下、本発明の形態を図１〜図５に基づいて説明する。
【０００８】
図１においては、抗菌ビニールフィルムパックであり、除菌飲料缶の全面に真空密着させて、衛生上飲み口及び缶全体を保護するものである。
真空抗菌ビニールフィルムパックを開封することにおいて安易に開封できるようにつまみ部分を設けまた上部を取り外し可能にする為、帯状の開封ラインを備え付けた。
【０００９】
図２においては除菌飲料缶の全面に真空密着させた抗菌ビニールフィルムパックであり上部を取り外し可能にするための帯状の開封ラインを設けたものである
【００１０】
除菌飲料缶の全面に真空密着させた抗菌ビニールフィルムパックであり上部を取り外し可能にする為の帯状のラインであり、つまみ部を引いた特に上部とラインが一体となって取り外せるように帯状ラインの上の部分は缶の円周の１／４までとする。
【００１１】
図４においては、除菌飲料缶の全面に真空密着させた抗菌ビニールフィルムパックであり、上部を取り外し可能にするための帯状のラインである。
【００１２】
図５においては、除菌飲料缶の全面に真空密着させた抗菌ビニールフィルムパックである
【００１３】
【発明の効果】
前述したように本発明の真空抗菌ビニールフィルムパックでカバーされた飲料缶は自動販売機や、店内陳列及び保管している飲料缶の飲み口を含め飲料缶全体を菌やウィルスまた汚れなどから防止するとともに衛生的な飲料缶を提供できる。清潔なグラスで飲むように清潔な飲料缶でそのまま口を付けて飲める安心感も提供できる。
【図面の簡単な説明】
【図１】飲み口に対して正面図である
【図２】図１に対して裏面図である
【図３】図１に対して左側面図である
【図４】図１に対して右側面図である
【図５】図１に対して底面図である
【符号の説明】
１  真空抗菌ビニールフィルムパック
２  開封つまみ
３  開封ライン
４  開封ラインであり上部フィルムと一部一体化
【図１】
2005015045.tif 000003
【図２】
2005015045.tif 000004
【図３】
2005015045.tif 000005
【図４】
2005015045.tif 000006
【図５】
2005015045.tif 000007
(57)【要約】      （修正有）【課題】今までのペットボトル等のリサイクルの問題点のひとつは、ボトルとカバーの分別を行う時に、カバーの剥がし箇所が見つけにくく、剥がす手間が煩雑であるため、分別されずにゴミ処理されてしまいがちなことである。そこで、消費者のリサイクル意識の向上に役立つよう、誰にでもわかる目印と、一度の動作で分別処理できる簡単さを備えたボトルカバーを提供する。【解決手段】ボトルカバーの剥がし箇所を見つけ易くするために目印ｆをつけ、剥がし易くするためにV字型切れ込みｇを入れ、一つの動作でボトルａとカバーの分別処理が手軽にできるような切り離し点線ｄを備えている。【選択図】図１
2005015049.tif 000002
【特許請求の範囲】
【請求項１】
図ｆの▽目印が有ることにより、ボトルカバーの切り剥がし箇所が早く見つけられる、ボトルカバー。
【請求項２】
図ｇの、左右からのV型切り込みがあることにより、切り剥がし箇所の部分が簡単に剥がれ、尚かつ、つまみ易く出来ている、請求項１に記載の、ボトルカバー。
【請求項３】
図ｄ・ｅの二本の切り離し点線により、手軽に剥がしやすく、また、ｅの切り離し点線の下三分の一程度がボトルカバーと一体につながっている事により、一度の動作で剥がして処理が出来る、請求項１〜２のいずれかに記載の、ボトルカバー。
【発明の詳細な説明】
【技術分野】
【０００１】
本発明は、ボトルカバーを分別リサイクルする際の手間をはぶく為に考案したものである。
【０００２】
本発明は、リサイクル時の分別が簡単に出来るため、ペットボトル・缶・ビン等のカバーに使用することが出来る。
【背景技術】
【０００３】
今までの技術は、切り離し線が１本だと剥がしにくく、２本線だとカバーが２分割になり手間がかかる為、リサイクルのための分別が大変面倒であった。また、（特許文献１参照）のように分別リサイクル時の効率・省力化までは考えられていない。
【０００４】
【特許文献１】特許公開平８―１１８５８号公報（第1項、図―１参照）
【発明の開示】
【発明が解決しようとする課題】
【０００５】
ペットボトル等のカバーを剥がす時、手間が大変面倒であるため、剥がし箇所の位置をわかり易くし、手軽に一動作でカバーを剥がせるように工夫することにより、リサイクルの意識を向上を図る。
【課題を解決するための手段】
【０００６】
上記の問題点を解決するために、本発明は次のものからなる。
【０００７】
（１）剥がし箇所を見つけやすくする為に、目印を付けた。
【０００８】
（２）剥がしやすくする為に、V字型切れ込みを入れた。
【０００９】
（３）分別時の手間を省く為に、２列の切り離し点線のうち、片方の下三分の一程度は、切り離し点線を入れず、カバーと一体にした。
【発明の効果】
【００１０】
本発明は、ボトルカバーの分別リサイクルの手間を短縮する事により、消費者のリサイクル意識を向上させる効果が期待される。また、分別リサイクルが増加すれば、リサイクルセンターでの効率化、省力化につながる。
【発明を実施するための最良の形態】
【００１１】
以下、本発明の理解を容易にするため、図面を用いて具体的に本発明を説明するが、本発明は、これら図示された具体例のみに限定されたものではない。
【００１２】
図１は、ボトルカバー全体を表した図であり、記号ｆは剥がし箇所の目印であり、記号ｇはV型切込線である。記号ｄ・ｅは、切り離し点線であり、ｅの方は、下三分の一程度がカバーと繋がっている為、ｆを摘み下に向かって剥がすと、一度の動作で分別できる。
【図面の簡単な説明】
【００１３】
【図１】ボトルカバーの全体図。
【図２】ボトルカバー切り剥がし部の拡大図。
【符号の説明】
【００１４】
ａ  ボトル本体
ｂ  ボトルカバー底部
ｃ  ボトルカバー上部
ｄ  切り離し点線
ｅ  下三分の一程度がカバーと一体に繋がった切り離し点線
ｆ  切り離し線の▽目印
ｇ  切り込み線
【図１】
2005015049.tif 000003
【図２】
2005015049.tif 000004
(57)【要約】【課題】カラスや猫などにゴミが散らされるのを防ぎ、街をよりきれいにする、折り畳み式のゴミ置き場になるガードレールを提供する。【解決手段】ガードレールのフレーム（１）にゴミを置くための折り畳み式の柵（２）と、柵にかぶせるふた（３）を付けたことを特徴とする。【選択図】                  図１
2005015221.tif 000002
【特許請求の範囲】
【請求項１】
ガードレールのフレーム（１）に折り畳み式の柵（２）と、柵にかぶせるふた（３）を付けた、折り畳み式のゴミ置き場になるガードレール。
【発明の詳細な説明】
【０００１】
【発明の属する技術分野】
この発明は、カラスや猫などにゴミが散らされるのを防ぎ、街をよりきれいにする折り畳み式のゴミ置き場になるガードレールに関するものである。
【０００２】
【従来の技術】
従来より歩道と車道の間にガードレールがあり、ゴミを集める日にゴミの入った袋をガードレールにそって置く所が多かった。また、度々カラスや猫がゴミを散らすことがあったので、それを防ごうとして、ゴミの上に網を置く所もあった。
【０００３】
【発明が解決しようとする課題】
これは次のような欠点があった。
（イ）ほとんどの道にガードレールがあったが、その目的が限られていた。
（ロ）ゴミ置き場が歩道のかなり広い面積を取り、歩く人や自転車で通る人に不便を感じさせることが多かった。また、置き方によって、特に風の強いとき、ゴミが車道にも散らばり、車の事故の原因になることもあった。
（ハ）ゴミ袋の上に網を掛けても、ゴミが度々カラスや猫によって散らされることがあって、ゴミの置き方は多くの人にとって悩みの種で、道を通る人にとって迷惑でもあった。
（ニ）「街をきれいに」とよく言う時代になったにもかかわらず、「ゴミの日」の街は大きなゴミ捨て場の様子を呈していた。
（ホ）ゴミの様々の置き方はゴミを収集する業者にとっても、大きな負担であった。
（ヘ）ゴミが収集された後でも、ガードレールに付けられたカラスよけの網は風によって道に広がることがよくあった。
本発明はこれらの欠点を解決するためになされたものである。
【０００４】
【課題を解決するための手段】
ガードレールのフレーム（１）内、またはフレームの横に、ゴミを置くための折り畳み式の柵（２）を付ける。更に、ガードレールのフレーム（１）に、または柵自体に、柵（２）にかぶせるふた（３）を付ける。
本発明は、以上のような構成よりなる折り畳み式のゴミ置き場になるガードレールである。
【０００５】
【発明の実施の形態】
以下、本発明の実施例について説明する。
（イ）ガードレールの形によって、ガードレールのフレーム（１）内、またはフレーム（１）のすぐ横に、ゴミを置くための折り畳むことができる柵（２）をボルト（４）などで付ける。
（ロ）ガードレールのフレーム（１）に、または柵（２）自体に、柵（２）にかぶせる、数箇所で折り畳むことができるふた（３）を付ける。
本発明は以上のような構造で、これを使用するときは、普段ガードレールのフレーム（１）の下まで下ろされたふた（３）を上げて、ガードレール内（または横）に折り畳んだ柵（２）を図３に示すように広げ、柵内にゴミの入った袋を置いて、ふたを柵の上にかぶせる。ゴミを収集するときはふたを開けて、ゴミを取り出しやすくするためにふたを折り畳んで、図４に示すようにガードレールのフレームの上に置く。ゴミが収集された後に柵を折り畳み、ガードレールのフレーム（１）の中へ押し込んで、その上からふたを下ろす。
【０００６】
【発明の効果】
本発明を使用することによって、ガードレールの使用範囲を広げることができ、ゴミの置き方は整理され、「ゴミの日」でも街全体はきれいなままで残る。ゴミが完全に閉ざされた柵の中にあるため、カラスや猫または風によって散らされることがない。また、ゴミをより高く積むことができるため、ゴミ置き場が占める面積は狭められる。なお、ゴミの置き方も決まり、ゴミを収集する業者にとっても、作業はしやすい。
【図面の簡単な説明】
【図１】本発明の斜視図である。
【図２】本発明のゴミ置き場の柵が折り畳まれた状態を示す正面と側面図である。
【図３】本発明のゴミ置き場の柵が開かれた状態を示す側図である。
【図４】本発明のゴミ置き場のふたが開けられた状態を示す側図である。
【符号の説明】
１  ガードレールのフレーム
２  柵
３  ふた
４  ボルト
【図１】
2005015221.tif 000003
【図２】
2005015221.tif 000004
【図３】
2005015221.tif 000005
【図４】
2005015221.tif 000006
(57)【要約】【課題】プラスチックゴミを収納する際の嵩張りを解消するため落とし蓋式の蓋を使用してゴミの圧縮をするゴミ箱を提供する。【解決手段】ゴミ箱の内側に突起２を取り付け、そこに蓋に取り付けた押し羽４を挟み蓋をゴミ箱に固定することで、ゴミの嵩張りを押さえ込むことができるようにした。【選択図】  図２
2005015223.tif 000002
【特許請求の範囲】
【請求項１】
ゴミ箱の蓋を落し蓋式にし、その蓋でプラスチックゴミを押さえ込み、収納を楽にしたゴミ箱。
【発明の詳細な説明】
【０００１】
【発明の属する技術分野】
本発明は、プラスチックゴミの嵩張りを解決する為に、従来の箱型ゴミ箱の内側側面に突起を儲け、そこに落し蓋式の蓋に取り付けた押さえ羽を挟み込む事により蓋を固定しゴミの圧縮をはかったもの。
【０００２】
【従来の技術】
従来のゴミ箱には、プラスチックゴミ専用のものや、落し蓋式の蓋を使用したものはなかった。
【０００３】
【発明が解決しようとする課題】
プラスチックゴミは、ゴミ箱やビニール袋に入れても嵩張ってすぐにいっっぱいになり、収納がとても不便であった。本発明は、その課題を解消するためになされたものである。
【０００４】
【課題を解決するための手段】
ゴミ箱１より一回り小さい蓋３をすることで、落し蓋のようになる。蓋上面の取っ手４と同時に回転する押さえ羽５を、ゴミ箱の内側両面にももうけた突起２にはめ込むことにより、ゴミの量により蓋をゴミ箱に固定し、ゴミの嵩張りを押さえるようにした。
【０００５】
【発明の実施の形態】
以下、本発明の実施の形態について説明する。
（イ）ゴミ箱１の内側両面に、等間隔に突起２をつける。
（ロ）ゴミ箱本体１より一回り小さい蓋３の真ん中に、取っ手４をつけそれと同時に回転する押さえ羽５をつける。
【０００６】
【発明の効果】
プラスチックゴミの収納を、落し蓋式の蓋３で押さえ込むことにより、ゴミの嵩張りを防ぎコンパクトに収納できる。
【図面の簡単な説明】
【図１】本発明の正面図である。
【図２】本発明の使用状態を示す断面図である。
【符号の説明】
１  ゴミ箱本体
２  内側突起
３  蓋
４  取っ手
５  押さえ羽
【図１】
2005015223.tif 000003
【図２】
2005015223.tif 000004
(57)【要約】【課題】ＺＳＭ−５型ゼオライトの銅イオン交換を効率よく行うことができ、環境浄化触媒や一酸化炭素及び窒素の吸着剤として更に優れた銅イオン交換ゼオライトの製造方法を提供する。【解決手段】ゼオライトと銅イオンを含む水溶液とを接触させてゼオライト結晶に含まれる陽イオンを銅イオンに交換するにあたり、前記ゼオライトを、プロピオン酸銅（Ｃｕ（Ｃ２Ｈ５ＣＯＯ）２）の水溶液と接触させる。さらに、ゼオライトとプロピオン酸銅水溶液とを接触させる際にマイクロ波を照射する。【選択図】    図１
2005015267.tif 000002
【特許請求の範囲】
【請求項１】
ゼオライトと銅イオンを含む水溶液とを接触させてゼオライト結晶に含まれる陽イオンを銅イオンに交換するにあたり、前記ゼオライトを、プロピオン酸銅（Ｃｕ（Ｃ２Ｈ５ＣＯＯ）２）の水溶液と接触させることを特徴とする銅イオン交換ゼオライトの製造方法。
【請求項２】
ゼオライトとプロピオン酸銅水溶液とを接触させる際に、マイクロ波を照射することを特徴とする請求項１記載の銅イオン交換ゼオライトの製造方法。
【発明の詳細な説明】
【０００１】
【発明の属する技術分野】
本発明は、銅イオン交換ゼオライトの製造方法に関し、詳しくは、ＮＯｘの分解触媒や一酸化炭素及び窒素の吸着剤として優れた特性を有する銅イオン交換ゼオライトを効率よく製造する方法に関する。
【０００２】
【従来の技術】
ゼオライト結晶に含まれる陽イオン、通常はナトリウムイオンを２価以上の金属イオンに交換する方法として、２価の金属の塩、例えば、アルカリ土類金属の塩として、塩化物、硝酸塩、硫酸塩、炭酸水素塩、酢酸塩、水酸化物、酸化物等を溶解した水溶液にゼオライトを接触させる方法が知られており（例えば、特許文献１参照。）、特に、銅イオンに交換する方法として、水溶性銅塩及びアンモニアを含む水溶液を用いる方法が知られている（例えば、特許文献２参照。）。
【０００３】
【特許文献１】
特開平５−１５５６１２号公報（第２頁、段落０００８）
【０００４】
【特許文献２】
特開平１−９６０１１号公報
【０００５】
【発明が解決しようとする課題】
各種ゼオライトの中で、銅イオン交換したＺＳＭ−５型ゼオライト（ＣｕＺＳＭ−５）は、ＮＯｘの分解機能を有する環境浄化触媒、あるいは常温で一酸化炭素及び窒素を強く吸着する特異な性質を有しており、環境浄化、ガス分離、ガス精製の分野で注目されている。特に常温かつ低い圧力下で一酸化炭素や窒素を選択的に吸着する性質は、ガス精製用材料として有用である。
【０００６】
このＣｕＺＳＭ−５を得る方法としては、前述のように、銅の塩化物、硝酸塩、硫酸塩、炭酸水素塩、酢酸塩を溶解した銅イオン含有水溶液にＺＳＭ−５型ゼオライトを接触させる方法が一般的である。
【０００７】
本発明は、ＺＳＭ−５型ゼオライトの銅イオン交換を効率よく行うことができ、環境浄化触媒や一酸化炭素及び窒素の吸着剤として更に優れた銅イオン交換ゼオライトの製造方法を提供することを目的としている。
【０００８】
【課題を解決するための手段】
上記目的を達成するため、本発明の銅イオン交換ゼオライトの製造方法は、ゼオライトと銅イオンを含む水溶液とを接触させてゼオライト結晶に含まれる陽イオンを銅イオンに交換するにあたり、前記ゼオライトを、プロピオン酸銅（Ｃｕ（Ｃ２Ｈ５ＣＯＯ）２）の水溶液と接触させることを特徴とし、さらに、ゼオライトとプロピオン酸銅水溶液とを接触させる際に、マイクロ波を照射することを特徴としている。
【０００９】
【発明の実施の形態】
本発明で用いる出発原料としてのゼオライトは、ゼオライト結晶に含まれる陽イオンを銅イオンに交換することによって特異な性質を発揮できるものならば、モルデナイト、Ｙ型ゼオライト、ＺＳＭ−５型ゼオライト等を使用できるが、特に、銅イオン交換によってその特性が向上するＺＳＭ−５型ゼオライトが最適である。
【００１０】
本発明では、ＺＳＭ−５型ゼオライトの陽イオン（ナトリウムイオン）を銅イオンに交換するにあたり、ＺＳＭ−５型ゼオライトをプロピオン酸銅（Ｃｕ（Ｃ２Ｈ５ＣＯＯ）２）の水溶液に接触させる。水溶液中のプロピオン酸銅の濃度は任意であるが、通常は０．０１モル程度でよく、接触時の温度は常温でよい。さらに、両者の接触時にマイクロ波を照射することにより、イオン交換を効果的に行うことができる。マイクロ波の照射は、例えば、一般的な電子レンジを用いて行うことができ、照射時間は数秒〜数十秒で十分である。また、両者の接触時間は、プロピオン酸銅の濃度や温度によって異なるが、通常は１時間程度である。さらに、接触効果を向上させるために適度に撹拌することが好ましい。
【００１１】
ＺＳＭ−５型ゼオライトの製造や調製等の前処理、プロピオン酸銅水溶液に接触させた後の後処理は、従来の塩化銅や酢酸銅の水溶液を用いて銅イオン交換するときと同様にして行うことができ、プロピオン酸銅水溶液を使用した場合でも、特別な前処理や後処理は必要としない。
【００１２】
【実施例】
シリカ対アルミナ比（Ｓｉ／Ａｌ比）が１１．９のナトリウム型ＺＳＭ−５ゼオライト（Ｎａ−ＺＳＭ−５）を使用し、プロピオン酸銅（Ｐ）、酢酸銅（Ａ）及び塩化銅（Ｃ）の各水溶液を使用して銅イオン交換をそれぞれ行った。各水溶液濃度は０．０１モルとし、撹拌しながら３００Ｋで１時間の銅イオン交換操作を１０回繰り返し、ＣｕＺＳＭ−５（Ｐ）のサンプルを得た。
【００１３】
酢酸銅あるいは塩化銅を用いたイオン交換は、従来から行われている方法とし、イオン交換レベルが略同一となるように、銅イオン交換操作の繰り返し回数を調整した。それぞれの塩類を用いて調製したＣｕＺＳＭ−５のサンプルについて、キレート滴定法によりイオン交換量を定量した。その結果、プロピオン酸銅を使用したＣｕＺＳＭ−５（Ｐ）は１０７％、酢酸銅を使用したＣｕＺＳＭ−５（Ａ）は１０５％、塩化銅を使用したＣｕＺＳＭ−５（Ｃ）は１０７％であった。
【００１４】
得られた銅イオン交換ゼオライトのそれぞれについて、定容法により吸着等温線の測定を行った。測定条件は、使用吸着剤量約０．５ｇ、吸着温度２５℃とし、吸着測定前に吸着剤の前処理として６００℃での真空加熱処理を４時間行った。その結果を図１に示す。なお、図中の「Ｐ」はＣｕＺＳＭ−５（Ｐ）を、「Ａ」はＣｕＺＳＭ−５（Ａ）を、「Ｃ」はＣｕＺＳＭ−５（Ｃ）をそれぞれ示している。吸着等温線はラングミュアー型であり、窒素分子との強い相互作用の存在が判る。また、プロピオン酸塩を用いた場合は、酢酸塩を用いた場合より窒素吸着量が約２０％増加した。
【００１５】
また、プロピオン酸銅水溶液に接触させているときに、電子レンジにて９０秒間のマイクロ波照射を行った。この操作を５回繰り返すことで前述のイオン交換レベルのサンプルを得ることができた。これにより、マイクロ波の照射によってゼオライトのイオン交換操作を極めて簡略化できることが明らかになった。
【００１６】
【発明の効果】
以上説明したように、本発明の銅イオン交換ゼオライトの製造方法によれば、窒素の吸着能力に優れた銅イオン交換ゼオライトを効率よく得ることができる。
【図面の簡単な説明】
【図１】実施例で測定した吸着等温線図である。
【図１】
2005015267.tif 000003